【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
診断テストの要件を有する遠隔データベースと、
前記遠隔データベースから離れたメモリであって、特定の車両情報を入力及び保存するとともに、前記遠隔データベースから入力された、複数の診断シーケンスの各ステップに関する診断テストの要件を保存するメモリと、
前記メモリに接続されたプロセッサであって、選択された診断シーケンスの実行に先立ち、前記選択された診断シーケンスに関する診断テストの要件のリストを前記特定の車両情報に従って特定するプロセッサと、
を含んで構成される車両の診断システム。
【請求項２】
前記プロセッサは、修理ファシリティに対し、前記テスト要件の可用性に基づく一定のテスト及び修理のスケジューリングを許容する請求項１に記載の車両の診断システム。
【請求項３】
前記選択された診断シーケンスに関する目録及び環境を、前記選択された診断シーケンスに関連付けられた診断テスト及び修理に先立って割り当てる修理ファシリティを更に含んで構成される請求項１に記載の診断システム。
【請求項４】
前記プロセッサに接続されて、前記診断シーケンスに関するレベル適性確認用の前記診断テストの要件を表示する表示装置を更に含んで構成される請求項１に記載の診断システム。
【請求項５】
前記診断テストの要件は、前記診断シーケンスの診断又は修理ステップに関連する請求項１に記載の診断システム。
【請求項６】
前記診断テストの要件は、ツール、部品、ファシリティ及び訓練を含む請求項１に記載の診断システム。
【請求項７】
前記診断テストの要件は、診断テストのコスト及び当該診断テストの場所を含む請求項１に記載の診断システム。
【請求項８】
前記診断テストの要件を表示する表示装置を更に含んで構成され、
前記診断テストの要件は、前記選択された診断シーケンスの所定の診断又は修理手順を実行するのに必要な項目のリストであって、診断シーケンスのいかなるセットについても生成される請求項１に記載の診断システム。
【請求項９】
テスト又は修理手順のシーケンスを診断ツールのデータベースに保存することと、
前記診断ツールのプロセッサにより、前記テスト又は修理手順のシーケンスを、前記テスト又は修理手順のシーケンスの各ステップに関するテスト要件のリストと相互に関連付けることと、
前記診断ツールの入力装置から特定の車両情報を入力することと、
前記プロセッサにより、前記特定の車両情報と、前記テスト又は修理手順の相互に関連付けられたシーケンスとに従って前記テスト要件のリストを特定することと、
前記特定の車両情報と、前記テスト要件の特定されたリストとに従って診断テスト又は修理を車上で実行することと、
を含んで構成される車両の診断方法。
【請求項１０】
前記プロセッサにより、修理ファシリティに対し、前記テスト要件の可用性に基づく一定のテスト及び修理のスケジューリングを許容することを更に含んで構成される請求項９に記載の方法。
【請求項１１】
診断テスト及び修理に先立ち、修理ファシリティに前記診断シーケンスを実行するための目録及び環境を割り当てることを更に含んで構成される請求項９に記載の方法。
【請求項１２】
前記診断シーケンスに関するレベル適性確認用の前記テスト要件を表示することを更に含んで構成される請求項９に記載の方法。
【請求項１３】
前記テスト要件のリストは、前記テスト又は修理手順のシーケンスの診断又は修理ステップに関連する請求項９に記載の方法。
【請求項１４】
前記テスト要件のリストは、ツール、部品、ファシリティ及び訓練を含む請求項９に記載の方法。
【請求項１５】
前記テスト要件のリストは、前記テスト要件のコストを含む請求項９に記載の方法。
【請求項１６】
前記テスト要件のリストは、所定の診断又は修理手順を実行するのに必要な項目のリストを更に含んで構成される請求項９に記載の方法。
【請求項１７】
テスト又は修理手順のシーケンスをデータベースに保存する手段と、
前記テスト又は修理手順のシーケンスを、前記テスト又は修理手順のシーケンスの各ステップに関するテスト要件のリストと相互に関連付ける手段と、
特定の車両情報を入力する手段と、
前記特定の車両情報と、前記テスト又は修理手順の相互に関連付けられたシーケンスとに従ってテスト要件のリストを特定する手段と、
前記特定の車両情報と、前記テスト要件の特定されたリストとに従って診断テスト又は修理を車上で実行する手段と、
を含んで構成される車両の診断システム。
【請求項１８】
修理ファシリティに対し、前記テスト要件の可用性に基づく一定のテスト及び修理のスケジューリングを許容する手段を更に含んで構成される請求項１７に記載の車両の診断システム。
【請求項１９】
診断テスト及び修理に先立ち、前記診断テストを実行するための目録及び環境を割り当てる修理ファシリティを更に含んで構成される請求項１７に記載の診断システム。
【請求項２０】
プロセッサ手段に接続されて、前記診断テストに関するレベル適性確認用の前記テスト要件のリストを表示する手段を更に含んで構成される請求項１７に記載の診断システム。
【請求項２１】
前記テスト要件は、前記テスト又は修理手順のシーケンスの前記診断又は修理ステップに関連する請求項１７に記載の診断システム。
【請求項２２】
前記テスト要件は、ツール、部品、ファシリティ及び訓練を含む請求項１７に記載の診断システム。
【請求項２３】
前記テスト要件は、前記テスト要件のコストを含む請求項１７に記載の診断システム。
【請求項２４】
所定の診断又は修理手順を実行するのに必要な項目のリストを表示する手段を更に含んで構成される請求項１７に記載の診断システム。
【手続補正２】
【補正対象書類名】明細書
【補正対象項目名】００１１
【補正方法】変更
【補正の内容】
【００１１】
本開示の一態様では、車両の診断システムは、特定の車両情報を入力及び保存するとともに、複数の診断シーケンスの各ステップに関する、遠隔データベースからの診断テストの要件を保存するメモリと、診断シーケンスの実施に先立ち、選択された診断シーケンスに関する診断テストの要件のリストを前記特定の車両情報に応じて特定するプロセッサと、を備える。診断システムは、テスト要件の可用性に基づく一定のテスト及び修理のスケジューリングを、修理ファシリティに対して許容するプロセッサを備えることも可能である。診断システムはまた、診断テストの目録及び環境を、診断テスト及び修理に先立って割り当てる修理ファシリティを備えてもよい。
【手続補正３】
【補正対象書類名】明細書
【補正対象項目名】００１２
【補正方法】変更
【補正の内容】
【００１２】
診断システムは、プロセッサに接続されて、診断シーケンスに関するレベル適性確認用のテスト要件を表示する表示装置を備えてもよい。診断システムはまた、診断シーケンスの診断又は修理ステップに関連付けられるテスト要件を有してもよい。診断システムは、ツール、部品、ファシリティ及び訓練を含むテスト要件を有してもよい。診断システムは、テスト要件の特徴付けとして、診断テストのコスト及び場所を含むことが可能である。診断システムは、表示装置を更に備えることができ、テスト要件は、この表示装置上の表示として、所定の診断又は修理手順を実行するのに必要な項目のリストを含み、診断シーケンスのいかなるセットについても生成される。
【手続補正４】
【補正対象書類名】明細書
【補正対象項目名】００１３
【補正方法】変更
【補正の内容】
【００１３】
本開示の他の態様では、車両の診断方法は、テスト又は修理手順のシーケンスをデータベースに保存することと、テスト又は修理手順のシーケンスを、そのシーケンスの各ステップに関するテスト要件のリストと相互に関連付けることと、特定の車両情報を入力することと、前記特定の車両情報、及び前記テスト又は修理手順の相互に関連付けられたシーケンスに従ってテスト要件のリストを特定することと、前記特定の車両情報及び前記テスト要件の特定されたリストに従って診断テスト又は修理を車上で実行することと、を有する。
【手続補正５】
【補正対象書類名】明細書
【補正対象項目名】００１４
【補正方法】変更
【補正の内容】
【００１４】
本開示の更に別の態様では、車両の診断システムは、テスト又は修理手順のシーケンスをデータベースに保存する手段と、テスト又は修理手順のシーケンスを、そのシーケンスの各ステップに関するテスト要件のリストと相互に関連付ける手段と、特定の車両情報を入力する手段と、前記特定の車両情報、及び前記テスト又は修理手順の相互に関連付けられたシーケンスに従ってテスト要件のリストを特定する手段と、前記特定の車両情報及び前記テスト要件の特定されたリストに従って診断テスト又は修理を車上で実行する手段と、を備える。